(57)【要約】      （修正有）【課題】複数の部屋を備える施設において当該部屋が利用可能となるまで待つ時間を有効に活用できると共に、部屋が利用可能となった後に、カラオケ楽曲等の提供情報を、利用者に対して効果的に提供することが可能な情報提供装置、情報再生装置、情報提供方法、及び情報提供処理プログラムを提供する。【解決手段】部屋の利用予約をしたグループに属する再生予約情報を当該端末装置から通信手段を介して受信し、グループにおける再生順番を決定し、受信された再生予約情報にて示される提供情報に関する情報と、決定された再生順番を示す再生順番情報を登録しておく。そして、情報提供装置は、部屋が利用可能となったことを認識した場合に、データベースに登録されているグループ情報から一のグループ情報を選定し、選定したグループ情報に対応する前記提供情報に関する情報により特定される提供情報を取得し、再生順番情報を送信するように構成する。【選択図】図５
2008064910.tif 000002
【特許請求の範囲】
【請求項１】
複数の利用者が属するグループにより利用される部屋を複数備える施設における各前記部屋内に設置され前記利用者に対して提供すべき提供情報を再生する情報再生装置と通信手段を介して通信可能であり、且つ、前記利用者により使用される端末装置と通信手段を介して通信可能な情報提供装置であって、
前記部屋の利用予約をした前記グループに対して割り当てられたグループ情報を、当該グループ毎に判別可能に登録しておくデータベースと、
前記部屋の利用予約をした前記グループに属する前記利用者により前記端末装置において指定された前記グループ情報と前記提供情報の再生予約を示す再生予約情報と、を当該端末装置から前記通信手段を介して受信する再生予約情報受信手段と、
前記受信された再生予約情報に示される提供情報の再生順番であって前記受信されたグループ情報に対応するグループにおける再生順番を決定する再生順番決定手段と、
前記受信された再生予約情報にて示される前記提供情報に関する情報と、前記決定された再生順番を示す再生順番情報を、前記受信されたグループ情報に対応付けて前記データベースに登録する情報登録手段と、
前記部屋が利用可能となったことを認識する部屋利用可能認識手段と、
前記部屋が利用可能となったことを認識した場合に、前記データベースに登録されているグループ情報から一のグループ情報を選定し、当該選定した当該グループ情報に対応する前記提供情報に関する情報により特定される提供情報を取得し、当該取得した提供情報と、当該取得した提供情報に対応する再生順番情報を、前記利用可能となった部屋に設置される前記情報再生装置に前記通信手段を介して送信する提供情報送信手段と、
を備えることを特徴とする情報提供装置。
【請求項２】
請求項１に記載の情報提供装置において、
前記再生順番決定手段は、前記提供情報に関する情報の登録順にしたがって前記提供情報の再生順番を決定することを特徴とする情報提供装置。
【請求項３】
請求項１又は２に記載の情報提供装置において、
既に前記データベースに登録された前記提供情報の再生順番の変更要求を示す変更要求情報を前記端末装置から前記通信手段を介して受信する変更要求情報受信手段を更に備え、
前記情報登録手段は、前記受信された変更要求情報にて示される前記提供情報の再生順番を前記利用者により指定された再生順番に変更して前記データベースに登録することを特徴とする情報提供装置。
【請求項４】
請求項１に記載の情報提供装置において、
前記部屋の利用予約をした前記グループに属する前記利用者により前記端末装置において指定された前記グループ情報と、飲物、食物、又はプレゼント品の注文予約を示す注文予約情報と、を当該端末装置から前記通信手段を介して受信する注文予約情報受信手段と、
前記受信された注文予約情報に示される飲物、食物、又はプレゼント品を前記利用者に提供する時間的なタイミングであって前記受信されたグループ情報に対応するグループにおける提供タイミングを決定する提供タイミング決定手段と、
前記受信された注文予約情報にて示される飲物、食物、又はプレゼント品に関する情報と前記決定された提供タイミングを示す提供タイミング情報を、前記受信されたグループ情報に対応付けて前記データベースに登録する情報登録手段と、
前記部屋が利用可能となったことを認識した場合に、前記データベースに登録されているグループ情報から一のグループ情報を選定し、当該選定された当該グループ情報に対応する前記飲物、食物、又はプレゼント品に関する情報及び前記提供タイミング情報を、前記施設に設置され飲物、食物、又はプレゼント品の注文を管理する管理端末装置に送信する注文予約情報送信手段と、
を備えることを特徴とする情報提供装置。
【請求項５】
請求項４に記載の情報提供装置において、
前記提供タイミング決定手段は、前記受信されたグループ情報に対応付けて前記データベースに前記提供情報に関する情報が既に登録されている場合には、当該提供情報に関する情報により特定される前記提供情報の再生時間に基づいて前記提供タイミングを決定することを特徴とする情報提供装置。
【請求項６】
請求項１乃至５の何れか一項に記載の情報提供装置において、
前記提供情報は、楽曲に関する音声情報及び映像情報であることを特徴とする情報提供装置。
【請求項７】
請求項１乃至６の何れか一項に記載の情報提供装置において、
前記提供情報は、前記利用者により入力されたコメント情報であることを特徴とする情報提供装置。
【請求項８】
請求項１乃至７の何れか一項に記載の情報提供装置において、
前記端末装置は、前記利用者が所有する携帯型端末装置であることを特徴とする情報提供装置。
【請求項９】
請求項１乃至８の何れか一項に記載の情報提供装置から送信された前記提供情報及び前記再生順番情報を受信する情報再生装置であって、
前記受信された前記提供情報及び前記再生順番情報を記憶する記憶手段と、
前記再生順番情報にしたがって前記提供情報の再生制御を行う再生制御手段と、
を備えることを特徴とする情報再生装置。
【請求項１０】
複数の利用者が属するグループにより利用される部屋を複数備える施設における各前記部屋内に設置され前記利用者に対して提供すべき提供情報を再生する情報再生装置と通信手段を介して通信可能であり、且つ、前記利用者により使用される端末装置と通信手段を介して通信可能な情報提供方法であって、
前記部屋の利用予約をした前記グループに対して割り当てられたグループ情報を、当該グループ毎に判別可能に登録する登録工程と、
前記部屋の利用予約をした前記グループに属する前記利用者により前記端末装置において指定された前記グループ情報と前記提供情報の再生予約を示す再生予約情報と、を当該端末装置から前記通信手段を介して受信する再生予約情報受信工程と、
前記受信された再生予約情報に示される提供情報の再生順番であって前記受信されたグループ情報に対応するグループにおける再生順番を決定する再生順番決定工程と、
前記受信された再生予約情報にて示される前記提供情報に関する情報と、前記決定された再生順番を示す再生順番情報を、前記受信されたグループ情報に対応付けて前記データベースに登録する情報登録工程と、
前記部屋が利用可能となったことを認識する部屋利用可能認識工程と、
前記部屋が利用可能となったことを認識した場合に、前記データベースに登録されているグループ情報から一のグループ情報を選定し、当該選定した当該グループ情報に対応する前記提供情報に関する情報により特定される提供情報を取得し、当該取得した提供情報と、当該取得した提供情報に対応する再生順番情報を、前記利用可能となった部屋に設置される前記情報再生装置に前記通信手段を介して送信する提供情報送信工程と、
を備えることを特徴とする情報提供方法。
【請求項１１】
複数の利用者が属するグループにより利用される部屋を複数備える施設における各前記部屋内に設置され前記利用者に対して提供すべき提供情報を再生する情報再生装置と通信手段を介して通信可能であり、且つ、前記利用者により使用される端末装置と通信手段を介して通信可能なコンピュータを、
前記部屋の利用予約をした前記グループに対して割り当てられたグループ情報を、当該グループ毎に判別可能に登録する登録手段、
前記部屋の利用予約をした前記グループに属する前記利用者により前記端末装置において指定された前記グループ情報と前記提供情報の再生予約を示す再生予約情報と、を当該端末装置から前記通信手段を介して受信する再生予約情報受信手段、
前記受信された再生予約情報に示される提供情報の再生順番であって前記受信されたグループ情報に対応するグループにおける再生順番を決定する再生順番決定手段、
前記受信された再生予約情報にて示される前記提供情報に関する情報と、前記決定された再生順番を示す再生順番情報を、前記受信されたグループ情報に対応付けて前記データベースに登録する情報登録手段、
前記部屋が利用可能となったことを認識する部屋利用可能認識手段、及び、
前記部屋が利用可能となったことを認識した場合に、前記データベースに登録されているグループ情報から一のグループ情報を選定し、当該選定した当該グループ情報に対応する前記提供情報に関する情報により特定される提供情報を取得し、当該取得した提供情報と、当該取得した提供情報に対応する再生順番情報を、前記利用可能となった部屋に設置される前記情報再生装置に前記通信手段を介して送信する提供情報送信手段として機能させることを特徴とする情報提供処理プログラム。
【発明の詳細な説明】
【技術分野】
【０００１】
本発明は、複数の利用者が属するグループにより利用される部屋を複数備える例えばカラオケ施設における各カラオケ部屋内に設置され利用者に対して提供すべき提供情報を再生する情報再生装置と通信手段を介して通信可能であり、且つ、前記利用者により使用される端末装置と通信手段を介して通信可能な情報提供装置等の技術分野に関する。
【背景技術】
【０００２】
近年、カラオケ施設においてカラオケ楽曲の選曲は、専用の電子早見本と総称される携帯型通信機器によって、迅速、且つ簡易に検索することが可能となってきたが、通常、カラオケ施設における各カラオケ部屋には、携帯型通信機器の常備は１台、多くても２台であり、複数の利用者で利用することの多いカラオケ部屋には少なさを感じるところであった。かといって、高価な携帯型通信機器を複数台全てのカラオケ部屋に備えることはコストがかかる。
【０００３】
一方、特許文献１には、個人で所持する携帯電話機をカラオケ楽曲の選曲予約ツールとして利用する技術が開示されており、これによれば、高価な携帯型通信機器を備えることなく、利用者は自己の携帯電話機を用いて迅速に選曲することができる。
【特許文献１】特開２００３−５７６８号公報
【発明の開示】
【発明が解決しようとする課題】
【０００４】
ところで、従来、カラオケ施設に、数人の利用者のグループが来店したとき、既に、全カラオケ部屋が利用されており、空き部屋がないという場合がしばしばある。このような場合、当該グループに属する利用者は、カラオケ部屋の利用予約をした後、例えば待合スペースに案内され、当該グループに属する利用者の人数に合った何れかのカラオケ部屋が空くまで待つことになり、待っている時間が無駄になってしまう。
【０００５】
本発明は、このような点を課題の一例として着目し、複数の部屋を備える施設において当該部屋が利用可能となるまで待つ時間を有効に活用できると共に、当該部屋が利用可能となった後に、カラオケ楽曲等の提供情報を、利用者に対して効果的に提供することが可能な情報提供装置、情報再生装置、情報提供方法、及び情報提供処理プログラムを提供することを目的とする。
【課題を解決するための手段】
【０００６】
上記課題を解決するために、請求項１に記載の発明は、複数の利用者が属するグループにより利用される部屋を複数備える施設における各前記部屋内に設置され前記利用者に対して提供すべき提供情報を再生する情報再生装置と通信手段を介して通信可能であり、且つ、前記利用者により使用される端末装置と通信手段を介して通信可能な情報提供装置であって、前記部屋の利用予約をした前記グループに対して割り当てられたグループ情報を、当該グループ毎に判別可能に登録しておくデータベースと、前記部屋の利用予約をした前記グループに属する前記利用者により前記端末装置において指定された前記グループ情報と前記提供情報の再生予約を示す再生予約情報と、を当該端末装置から前記通信手段を介して受信する再生予約情報受信手段と、前記受信された再生予約情報に示される提供情報の再生順番であって前記受信されたグループ情報に対応するグループにおける再生順番を決定する再生順番決定手段と、前記受信された再生予約情報にて示される前記提供情報に関する情報と、前記決定された再生順番を示す再生順番情報を、前記受信されたグループ情報に対応付けて前記データベースに登録する情報登録手段と、前記部屋が利用可能となったことを認識する部屋利用可能認識手段と、前記部屋が利用可能となったことを認識した場合に、前記データベースに登録されているグループ情報から一のグループ情報を選定し、当該選定した当該グループ情報に対応する前記提供情報に関する情報により特定される提供情報を取得し、当該取得した提供情報と、当該取得した提供情報に対応する再生順番情報を、前記利用可能となった部屋に設置される前記情報再生装置に前記通信手段を介して送信する提供情報送信手段と、を備えることを特徴とする。
【０００７】
この発明によれば、前記情報提供装置は、前記部屋の利用予約をした前記グループに属する前記利用者により前記端末装置において指定された前記グループ情報と前記提供情報の再生予約を示す再生予約情報と、を当該端末装置から前記通信手段を介して受信し、前記受信された再生予約情報に示される提供情報の再生順番であって前記受信されたグループ情報に対応するグループにおける再生順番を決定し、前記受信された再生予約情報にて示される前記提供情報に関する情報と、前記決定された再生順番を示す再生順番情報を、前記受信されたグループ情報に対応付けて前記データベースに登録しておく。そして、前記情報提供装置は、前記部屋が利用可能となったことを認識した場合に、前記データベースに登録されているグループ情報から一のグループ情報を選定し、当該選定した当該グループ情報に対応する前記提供情報に関する情報により特定される提供情報を取得し、当該取得した提供情報と、当該取得した提供情報に対応する再生順番情報を、前記利用可能となった部屋に設置される前記情報再生装置に前記通信手段を介して送信するように構成したので、複数の部屋を備える施設において当該部屋が利用可能となるまで待つ時間を有効に活用でき、また、利用可能となった部屋に設置される前記情報再生装置に対して、より効率良く、再生予約された提供情報等を送信し、当該提供情報を迅速に再生させることができる。
【０００８】
請求項２に記載の発明は、請求項１に記載の情報提供装置において、前記再生順番決定手段は、前記提供情報に関する情報の登録順にしたがって前記提供情報の再生順番を決定することを特徴とする。
【０００９】
請求項３に記載の発明は、請求項１又は２に記載の情報提供装置において、既に前記データベースに登録された前記提供情報の再生順番の変更要求を示す変更要求情報を前記端末装置から前記通信手段を介して受信する変更要求情報受信手段を更に備え、前記情報登録手段は、前記受信された変更要求情報にて示される前記提供情報の再生順番を前記利用者により指定された再生順番に変更して前記データベースに登録することを特徴とする。
【００１０】
請求項４に記載の発明は、請求項１に記載の情報提供装置において、前記部屋の利用予約をした前記グループに属する前記利用者により前記端末装置において指定された前記グループ情報と、飲物、食物、又はプレゼント品の注文予約を示す注文予約情報と、を当該端末装置から前記通信手段を介して受信する注文予約情報受信手段と、前記受信された注文予約情報に示される飲物、食物、又はプレゼント品を前記利用者に提供する時間的なタイミングであって前記受信されたグループ情報に対応するグループにおける提供タイミングを決定する提供タイミング決定手段と、前記受信された注文予約情報にて示される飲物、食物、又はプレゼント品に関する情報と前記決定された提供タイミングを示す提供タイミング情報を、前記受信されたグループ情報に対応付けて前記データベースに登録する情報登録手段と、前記部屋が利用可能となったことを認識した場合に、前記データベースに登録されているグループ情報から一のグループ情報を選定し、当該選定された当該グループ情報に対応する前記飲物、食物、又はプレゼント品に関する情報及び前記提供タイミング情報を、前記施設に設置され飲物、食物、又はプレゼント品の注文を管理する管理端末装置に送信する注文予約情報送信手段と、を備えることを特徴とする。
【００１１】
この発明によれば、前記情報提供装置は、前記部屋の利用予約をした前記グループに属する前記利用者により前記端末装置において指定された前記グループ情報と、飲物、食物、又はプレゼント品の注文予約を示す注文予約情報と、を当該端末装置から前記通信手段を介して受信し、前記受信された注文予約情報に示される飲物、食物、又はプレゼント品を前記利用者に提供する時間的なタイミングであって前記受信されたグループ情報に対応するグループにおける提供タイミングを決定し、前記受信された注文予約情報にて示される飲物、食物、又はプレゼント品に関する情報と前記決定された提供タイミングを示す提供タイミング情報を、前記受信されたグループ情報に対応付けて前記データベースに登録しておく。そして、前記情報提供装置は、前記部屋が利用可能となったことを認識した場合に、前記データベースに登録されているグループ情報から一のグループ情報を選定し、当該選定された当該グループ情報に対応する前記飲物、食物、又はプレゼント品に関する情報及び前記提供タイミング情報を、前記施設に設置され飲物、食物、又はプレゼント品の注文を管理する管理端末装置に送信するように構成したので、複数の部屋を備える施設において当該部屋が利用可能となるまで待つ時間を有効に活用し飲物、食物、又はプレゼント品の注文予約をし、注文予約された飲物、食物、又はプレゼント品を、提供情報が再生される合間に利用者に対して、より効果的に提供することができる。
【００１２】
請求項５に記載の発明は、請求項４に記載の情報提供装置において、前記提供タイミング決定手段は、前記受信されたグループ情報に対応付けて前記データベースに前記提供情報に関する情報が既に登録されている場合には、当該提供情報に関する情報により特定される前記提供情報の再生時間に基づいて前記提供タイミングを決定することを特徴とする。
【００１３】
請求項６に記載の発明は、請求項１乃至５の何れか一項に記載の情報提供装置において、前記提供情報は、楽曲に関する音声情報及び映像情報であることを特徴とする。
【００１４】
請求項７に記載の発明は、請求項１乃至６の何れか一項に記載の情報提供装置において、前記提供情報は、前記利用者により入力されたコメント情報であることを特徴とする。
【００１５】
請求項８に記載の発明は、請求項１乃至７の何れか一項に記載の情報提供装置において、前記端末装置は、前記利用者が所有する携帯型端末装置であることを特徴とする。
【００１６】
請求項９に記載の発明は、請求項１乃至８の何れか一項に記載の情報提供装置から送信された前記提供情報及び前記再生順番情報を受信する情報再生装置であって、前記受信された前記提供情報及び前記再生順番情報を記憶する記憶手段と、前記再生順番情報にしたがって前記提供情報の再生制御を行う再生制御手段と、を備えることを特徴とする。
【００１７】
請求項１０に記載の発明は、複数の利用者が属するグループにより利用される部屋を複数備える施設における各前記部屋内に設置され前記利用者に対して提供すべき提供情報を再生する情報再生装置と通信手段を介して通信可能であり、且つ、前記利用者により使用される端末装置と通信手段を介して通信可能な情報提供方法であって、前記部屋の利用予約をした前記グループに対して割り当てられたグループ情報を、当該グループ毎に判別可能に登録する登録工程と、前記部屋の利用予約をした前記グループに属する前記利用者により前記端末装置において指定された前記グループ情報と前記提供情報の再生予約を示す再生予約情報と、を当該端末装置から前記通信手段を介して受信する再生予約情報受信工程と、前記受信された再生予約情報に示される提供情報の再生順番であって前記受信されたグループ情報に対応するグループにおける再生順番を決定する再生順番決定工程と、前記受信された再生予約情報にて示される前記提供情報に関する情報と、前記決定された再生順番を示す再生順番情報を、前記受信されたグループ情報に対応付けて前記データベースに登録する情報登録工程と、前記部屋が利用可能となったことを認識する部屋利用可能認識工程と、前記部屋が利用可能となったことを認識した場合に、前記データベースに登録されているグループ情報から一のグループ情報を選定し、当該選定した当該グループ情報に対応する前記提供情報に関する情報により特定される提供情報を取得し、当該取得した提供情報と、当該取得した提供情報に対応する再生順番情報を、前記利用可能となった部屋に設置される前記情報再生装置に前記通信手段を介して送信する提供情報送信工程と、を備えることを特徴とする。
【００１８】
請求項１１に記載の情報提供処理プログラムの発明は、複数の利用者が属するグループにより利用される部屋を複数備える施設における各前記部屋内に設置され前記利用者に対して提供すべき提供情報を再生する情報再生装置と通信手段を介して通信可能であり、且つ、前記利用者により使用される端末装置と通信手段を介して通信可能なコンピュータを、前記部屋の利用予約をした前記グループに対して割り当てられたグループ情報を、当該グループ毎に判別可能に登録する登録手段、前記部屋の利用予約をした前記グループに属する前記利用者により前記端末装置において指定された前記グループ情報と前記提供情報の再生予約を示す再生予約情報と、を当該端末装置から前記通信手段を介して受信する再生予約情報受信手段、前記受信された再生予約情報に示される提供情報の再生順番であって前記受信されたグループ情報に対応するグループにおける再生順番を決定する再生順番決定手段、前記受信された再生予約情報にて示される前記提供情報に関する情報と、前記決定された再生順番を示す再生順番情報を、前記受信されたグループ情報に対応付けて前記データベースに登録する情報登録手段、前記部屋が利用可能となったことを認識する部屋利用可能認識手段、及び、前記部屋が利用可能となったことを認識した場合に、前記データベースに登録されているグループ情報から一のグループ情報を選定し、当該選定した当該グループ情報に対応する前記提供情報に関する情報により特定される提供情報を取得し、当該取得した提供情報と、当該取得した提供情報に対応する再生順番情報を、前記利用可能となった部屋に設置される前記情報再生装置に前記通信手段を介して送信する提供情報送信手段として機能させることを特徴とする。
【発明の効果】
【００１９】
本発明によれば、複数の部屋を備える施設において当該部屋が利用可能となるまで待つ時間を有効に活用でき、また、利用可能となった部屋に設置される前記情報再生装置に対して、より効率良く、再生予約された提供情報等を送信し、当該提供情報を迅速に再生させることができる。
【発明を実施するための最良の形態】
【００２０】
以下、図面を参照して本発明の最良の実施形態について詳細に説明する。なお、以下に説明する実施の形態は、複数の利用者が属するグループにより利用されるカラオケ部屋（カラオケボックス）を複数備えるカラオケ提供施設におけるカラオケシステムに対して本発明を適用した場合の実施形態である。
【００２１】
［１．カラオケシステムの構成及び機能概要］
先ず、本実施形態に係るカラオケシステムの構成及び機能概要について、図１を用いて説明する。
【００２２】
図１は、本実施形態に係るカラオケシステムの概要構成例を示す図である。
【００２３】
図１に示すように、カラオケシステムＳは、カラオケ提供施設における各カラオケ部屋（１０１号室〜１０６号室）内に設置された情報再生装置の一例としてのカラオケ演奏装置Ｋｎ（ｎ＝１〜６）と、当該カラオケ提供施設の店員（従業員）により使用される管理端末装置の一例としての管理端末（例えば、汎用のパーソナルコンピュータ）Ｍと、情報提供装置の一例としての情報提供サーバＳＡと、を備えて構成されている。そして、各カラオケ演奏装置Ｋｎと情報提供サーバＳＡとは、通信手段の一例としてのイントラネット（例えばＬＡＮ（Local Area Network）により構成）ＮＴを介して接続されており、通信可能になっている。また、管理端末Ｍと情報提供サーバＳＡとは、イントラネットＮＴを介して接続されており、通信可能になっている。なお、情報提供サーバＳＡは、管理端末Ｍ及び各カラオケ演奏装置ＫｎのイントラネットＮＴにおけるアドレス情報を認識している。
【００２４】
また、各利用者により所有される携帯型端末装置の一例としての携帯電話機Ｔｎ（ｎ＝１〜３）は、アクセスポイント（例えば各カラオケ部屋や待合室等に設置）ＡＰ及びイントラネットＮＴを介して情報提供サーバＳＡに接続し通信可能になっている。例えば、利用者は、カラオケ提供施設に来店の際に、イントラネットＮＴを介して情報提供サーバＳＡにアクセスするためのアクセス権情報（例えば、ＵＲＬ（Uniform Resource Locator等のアドレス情報）を入手し、自己の携帯電話機Ｔｎのブラウザを立ち上げ、当該アクセス権情報を入力し、実行することにより情報提供サーバＳＡに接続（アクセス）するようになっている。
【００２５】
なお、各利用者により所有される携帯型端末装置として、ＰＤＡ（Personal Digital Assistance）、ＰＨＳ（Personal Handyphone System）、ノートパソコン等であっても良い。
【００２６】
このようなカラオケシステムＳを有するカラオケ提供施設に、数人の利用者のグループが来店したとき、既に、全カラオケ部屋（１０１号室〜１０６号室）が利用されており、空き部屋がない場合、当該グループに属する利用者は、カラオケ部屋の利用予約（例えば、空いたカラオケ部屋（この時点では不明））を順番（来店順）待ちして利用する予約）をした後、例えば待合スペースに案内され、当該グループに属する利用者の人数に合った何れかのカラオケ部屋が空くまで待つことになる。
【００２７】
このように待っているグループの代表である利用者は、自己の携帯電話機Ｔｎを用いて、自己のグループに対して割り当てるべきグループ情報の一例としての仮想（バーチャル）部屋名を情報提供サーバＳＡに登録し、そのグループの各利用者は、自己の携帯電話機Ｔｎを用いて、カラオケ部屋に入った後にカラオケ演奏装置Ｋｎから再生されるべきカラオケ楽曲（利用者に対して提供すべき提供情報の一例）を指定（表示部に表示された登録画面を通じて指定）してその再生予約を当該仮想部屋名に対応付けて情報提供サーバＳＡに登録することが可能になっている。また、各利用者は、自己の携帯電話機Ｔｎを用いて、利用者に対して提供すべき提供情報として、アーティストのプロモーション、ＢＧＭ（Back Ground Music）、コメント情報（利用者により携帯電話機Ｔｎ入力された文字情報）を指定してその再生予約を示す再生予約を仮想部屋名に対応付けて情報提供サーバＳＡに登録することが可能になっている。
【００２８】
そして、カラオケ部屋が空き、利用予約をしていたグループが当該カラオケ部屋の利用が可能になった場合、当該カラオケ部屋を利用するグループの仮想部屋名に対応付けられて登録されている再生予約に係るカラオケ楽曲に関するデータ等が、情報提供サーバＳＡから当該カラオケ部屋内に設置されたカラオケ演奏装置Ｋｎに対して送信（転送）され、再生されることになる。こうして、当該グループに属する各利用者は、カラオケ部屋に入って直ちに（選曲することなく）カラオケを楽しむことができる。
【００２９】
更に、各利用者は、自己の携帯電話機Ｔｎを用いて、カラオケ部屋に入った後に提供されるべき飲物又は食物を指定してその注文予約を示す注文予約を仮想部屋名に対応付けて情報提供サーバＳＡに登録することが可能になっており、情報提供サーバＳＡから管理端末Ｍに送信（転送）され、店員に提示されることになる。こうして、当該グループに属する各利用者は、カラオケ部屋に入って直ちに飲物や食物を選択することなくカラオケを楽しむことができる。
【００３０】
なお、携帯電話機Ｔｎは、公知の通信方式（例えば、ＰＤＣ（Personal Digital Cellular）方式や、ＩＭＴ（International Mobile Telecommunication）方式、ＰＨＳ（Personal Handyphone System）等が採用されており、携帯電話機Ｔｎの構成は公知であるので、詳しい説明を省略する。
【００３１】
［１−１．情報提供サーバの構成及び機能］
次に、本実施形態に係る情報提供サーバＳＡの構成及び機能について、図２を用いて説明する。
【００３２】
図２は、本実施形態に係る情報提供サーバＳＡの概要構成例を示すブロック図である。
【００３３】
図２に示すように情報提供サーバＳＡは、ＣＰＵ（Central Processing Unit），作業用のＲＡＭ（Random Access Memory），ＲＯＭ（Read Only Memory）等から構成された制御部１と、ハードディスクドライブ等からなる記憶部２と、イントラネットＮＴに接続し他の機器等と通信を行うための通信インターフェース３と、を備えて構成されている。
【００３４】
記憶部２には、情報提供サーバＳＡの動作に必要な各種データ及びプログラム（本発明の情報提供処理プログラムを含む）、並びに携帯電話機Ｔｎからの要求（リクエスト）に応じて提供する各種ページ（画面）を構成するためのページデータ（例えば、ＨＴＭＬ（Hyper Text Markup Language）データ等からなる）が記憶されている。
【００３５】
更に、記憶部２には、楽曲情報データベース２１、仮想部屋情報データベース２２、及びメニュー情報データベース２３が構築されている。
【００３６】
楽曲情報データベース２１には、多数のカラオケ楽曲に関するデータが登録（記憶）されており、当該カラオケ楽曲毎に、伴奏の音楽データ（楽曲に関する音声情報の一例）、当該伴奏音楽の再生に同期して再生される映像データ（楽曲に関する映像情報の一例）及び歌詞画像データ、及び楽曲固有情報（曲名、アーティスト名、再生時間等）などがカラオケ楽曲に識別するための固有の識別情報である楽曲ＩＤ（楽曲コード）に対応付けられて登録（記憶）されている。また、楽曲情報データベース２１には、多数のアーティストのプロモーションビデオ（ＰＶ）に関するデータが登録（記憶）されており、当該プロモーションビデオ毎に、映像データ（楽曲に関する映像情報の一例）、音楽データ（楽曲に関する音声情報の一例）、歌詞画像データ、及びプロモーション固有情報（曲名、アーティスト名、再生時間等等）などが、楽曲ＩＤに対応付けられて登録（記憶）されている。更に、楽曲情報データベース２１には、多数のＢＧＭに関するデータが登録（記憶）されており、当該ＢＧＭ毎に、音楽データ（楽曲に関する音声情報の一例）、これに付随する映像データ（楽曲に関する映像情報の一例）、及びＢＧＭ固有情報（曲名、アーティスト名、再生時間等）が、楽曲ＩＤに対応付けられて登録（記憶）されている。
【００３７】
図３は、仮想部屋情報データベース２２におけるデータ構造の一例を示す図である。
図３に示すように、仮想部屋情報データベース２２には、カラオケ部屋の利用予約をしたグループに対して割り当てられた仮想部屋名が、グループ毎に判別可能に登録されており、当該仮想部屋名に対応付けられて、登録順番を示す登録順番情報、パスワード、利用人数、提供情報に関する情報、及び飲物又は食物に関する情報が登録される。
【００３８】
ここで、仮想部屋名、パスワード及び利用人数は、グループの代表である利用者により登録される情報であり、提供情報に関する情報及び飲物又は食物に関する情報は、当該グループに属する各利用者により登録可能な情報である。なお、カラオケ部屋の利用時間を登録するようにしても良い。
【００３９】
また、パスワードの登録は任意であり、当該パスワードが登録されている場合には、提供情報に関する情報及び飲物又は食物に関する情報の登録に当たって当該パスワードの入力が要求されることになる。
【００４０】
また、提供情報に関する情報には、利用者により指定された再生されるべきカラオケ楽曲等の楽曲ＩＤ（コメント情報についてはその内容を示すテキストデータ）、曲名、アーティスト名、及び再生時間、並びに当該カラオケ楽曲の再生順番（当該グループにおける再生順番）を示す再生順番情報が含まれている。かかるカラオケ楽曲の再生順番は、例えば、カラオケ楽曲の登録順に決定されるが、後から、利用者により指定された再生順番に変更可能としても良い。
【００４１】
また、飲物又は食物に関する情報には、利用者により指定された飲物又は食物を示す名称情報（飲物又は食物に割り当てられたＩＤでも良い）と、当該飲物又は食物を利用者に提供する時間的なタイミングであって当該グループおける提供タイミングを示す提供タイミング情報が含まれている。かかる提供タイミングは、例えば、飲物又は食物の登録順に決定される。
【００４２】
また、メニュー情報データベース２３には、カラオケ提供施設において提供される飲物及び食物を示す名称情報、飲物及び食物の料金を示す料金情報、及び飲物及び食物の種別を示す種別情報（例えば、飲物と食物の種別、飲物の中でもアルコール飲料とノンアルコール飲料の種別、食物の中でも中華料理と日本料理の種別）等が対応付けられて登録されている。
【００４３】
そして、制御部１は、ＣＰＵが、ＲＯＭや記憶部１６に記憶された各種プログラム（本発明の情報提供処理プログラムを含む）を読み出し実行することにより情報提供サーバＳＡ全体を統括制御すると共に、再生予約情報受信手段、再生順番決定手段、情報登録手段、部屋利用可能認識手段、提供情報送信手段、注文予約情報受信手段、提供タイミング決定手段、及び注文予約情報送信手段として機能し、後述する処理を行うようになっている。
【００４４】
［１−２．カラオケ演奏装置の構成及び機能］
次に、本実施形態に係るカラオケ演奏装置Ｋｎの構成及び機能について、図４を用いて説明する。
【００４５】
図４は、本実施形態に係るカラオケ演奏装置Ｋｎの概要構成例を示すブロック図である。
【００４６】
カラオケ演奏装置Ｋｎは、ＣＰＵ，作業用のＲＡＭ，ＲＯＭ等から構成されカラオケ演奏装置Ｋｎ全体を統括制御する制御部１１と、ハードディスクドライブ等からなる記憶手段としての記憶部１２と、イントラネットＮＴに接続し他の機器等と通信を行うための通信インターフェース１３と、映像データ及び歌詞画像データ等に対して描画処理を施す映像処理部１４と、前記描画処理された映像データ及び歌詞画像データに係る映像等を表示する表示部（例えば、ＣＲＴ、液晶ディスプレイ、プラズマディスプレイ等）１５と、音楽データに対して音響処理を施す音声処理部（シンセサイザ等を備える）１６と、利用者の声を入力するマイクロフォン１７と、マイクロフォン１７により入力された利用者の音声データと前記音響処理が施された音楽データとを合成して音声出力信号を生成するミキシングアンプ１８と、ミキシングアンプ１８により生成された音声出力信号を音波として出力するスピーカ１９と、を備えて構成されている。なお、カラオケ演奏装置Ｋｎの機能は公知であるので、細部の詳細機能についての説明は省略する。また、カラオケ演奏装置Ｋｎは、利用者により指定されたカラオケ楽曲等の楽曲ＩＤを示す情報を、公知の電子早見本と総称される携帯型通信機器から例えば赤外線通信によって受信して、そのカラオケ楽曲等を再生可能に登録することもできる。
【００４７】
記憶部１２には、カラオケ演奏装置Ｋｎの動作に必要な各種データ及びプログラムが記憶されている。
【００４８】
また、記憶部１２には、情報提供サーバＳＡから送信され通信インターフェース１３を介して受信されたカラオケ楽曲に関するデータ（楽曲ＩＤ、伴奏の音楽データ、当該伴奏音楽の再生に同期して再生される映像データ及び歌詞画像データ、楽曲固有情報（曲名、アーティスト名、再生時間等））、アーティストのプロモーションビデオ（ＰＶ）に関するデータ（楽曲ＩＤ、映像データ、音楽データ、歌詞画像データ、及びプロモーション固有情報（曲名、アーティスト名、再生時間等））、及び多数のＢＧＭに関するデータ（楽曲ＩＤ、音楽データ、これに付随する映像データ、及びＢＧＭ固有情報（曲名、アーティスト名、再生時間等））、更には再生順番情報を記憶している。
【００４９】
制御部１１は、ＣＰＵが、ＲＯＭや記憶部１２に記憶された各種プログラムを読み出し実行することにより、上記再生順番情報にしたがって（つまり、再生順番情報に示された再生順番に）、カラオケ楽曲等に係る音楽データ、映像データ及び歌詞画像データや、コメンツ情報に係るテキストデータの再生制御を行うようになっている。具体的には、制御部１１は、上記再生順番情報にしたがって、記憶部１２に記憶された音楽データの再生制御を行い音声処理部１６に出力すると共に、音楽の再生に同期させつつ映像データ及び歌詞画像データ等の再生制御を行い、映像処理部１４に出力するようになっている。
【００５０】
［２．カラオケシステムの動作］
次に、本実施形態に係るカラオケシステムＳの動作について、図５乃至図１１等を用いて説明する。
【００５１】
図５は、携帯電話機Ｔｎの表示部に表示される表示画面の遷移例を示す図である。図６は、仮想部屋画面が携帯電話機Ｔｎ上に表示されるまでにおける携帯電話機Ｔｎと情報提供サーバＳＡとの間の情報のやり取りを示すシーケンス図である。図７は、情報提供サーバＳＡの制御部１における登録判別処理を示すフローチャートである。図８は、曲検索から再生予約登録までにおける携帯電話機Ｔｎと情報提供サーバＳＡとの間の情報のやり取りを示すシーケンス図である。図９は、メニュー表示から注文予約登録までにおける携帯電話機Ｔｎと情報提供サーバＳＡとの間の情報のやり取りを示すシーケンス図である。図１０は、コメント入力から再生予約登録までにおける携帯電話機Ｔｎと情報提供サーバＳＡとの間の情報のやり取りを示すシーケンス図である。図１１は、情報提供サーバＳＡの制御部１におけるカラオケ部屋割り当て処理等を示すフローチャートである。
【００５２】
先ず、カラオケ提供施設に来店した数人の利用者のグループに対してアクセス権情報が知らされる。そして、例えば当該グループの利用者が携帯電話機Ｔｎのブラウザを立ち上げ、当該アクセス権情報を入力し、実行する（実行ボタンを押下）と、当該携帯電話機Ｔｎは情報提供サーバＳＡに接続され、図６に示すように、初期画面提供リクエストがイントラネットＮＴを介して情報提供サーバＳＡに送信される（ステップＳ１）。
【００５３】
次いで、情報提供サーバＳＡは、当該リクエストに応じて、記憶部１２における仮想部屋情報データベース２２に登録された仮想部屋名と、これに対応付けられた登録順番情報及び利用人数を取得し、当該取得した仮想部屋名等が記述される仮想部屋一覧画面データ（ページデータ）を生成し（ステップＳ２）、これをイントラネットＮＴを介して当該携帯電話機Ｔｎに送信する（ステップＳ３）。
【００５４】
次いで、携帯電話機Ｔｎは、情報提供サーバＳＡから送信されてきた仮想部屋一覧画面データを受信すると、これを表示部上に表示する。
【００５５】
こうして表示された仮想部屋一覧画面６１には、図５（Ａ）に示すように、既に登録された仮想部屋名及び利用人数が登録順（来店順）に並べられて一覧表示されている。
【００５６】
このような表示状態において、未だ仮想部屋名を登録していないグループの代表の利用者は、携帯電話機Ｔｎを操作して登録ボタン１０１を選択実行（例えばカーソルで選択し、実行ボタンを押下）すると、新規部屋登録画面提供リクエストがイントラネットＮＴを介して情報提供サーバＳＡに送信される（ステップＳ４）。
【００５７】
次いで、情報提供サーバＳＡは、当該リクエストに応じて、新規部屋登録画面データを生成し（ステップＳ５）、これをイントラネットＮＴを介して当該携帯電話機Ｔｎに送信する（ステップＳ６）。
【００５８】
次いで、携帯電話機Ｔｎは、情報提供サーバＳＡから送信されてきた新規部屋登録画面データを受信すると、これを表示部上に表示する。
【００５９】
こうして表示された新規部屋登録画面６２には、図５（Ｂ）に示すように、仮想部屋名入力欄２０１、利用人数入力欄２０２、及びパスワード入力欄２０３が設けられている。そして、上記グループの代表の利用者は、携帯電話機Ｔｎを操作して、仮想部屋名入力欄２０１に、自己のグループに対して割り当てる仮想部屋名を入力し、利用人数入力欄２０２に当該グループに属する利用者の利用人数を入力する。また、必要であれば、上記グループの代表の利用者は、携帯電話機Ｔｎを操作して、当該グループに属する利用者のみにカラオケ楽曲等の再生予約を制限するためのパスワードをパスワード入力欄２０３に入力し、当該グループに属する利用者に知らせる。このように仮想部屋名等が入力された後、当該グループの代表の利用者は、携帯電話機Ｔｎを操作して登録ボタン２０４を選択実行すると、入力された仮想部屋名等を含む登録リクエストがイントラネットＮＴを介して情報提供サーバＳＡに送信される（ステップＳ７）。なお、新規部屋登録画面６２を通じてカラオケ部屋の利用時間が入力され、上記登録リクエストに含まれて情報提供サーバＳＡに送信され、登録されるようにしても良い。
【００６０】
次いで、情報提供サーバＳＡは、当該登録リクエストに応じて、当該リクエストに含まれる仮想部屋名が既に仮想部屋情報データベース２２に登録されているか否かを判別し、既に登録されている場合には、再入力を促すメッセージを携帯電話機Ｔｎに送信する。一方、既に登録されていない場合には、上記リクエストに含まれる仮想部屋名に対応する登録順番を認識し、上記仮想部屋名及び利用人数（必要に応じてパスワード）等、並びに登録順番情報を仮想部屋情報データベース２２に新規登録する（ステップＳ８）。
【００６１】
一方、上記仮想部屋一覧画面６１が表示されている状態において、既に仮想部屋名が登録されたグループの各利用者は、携帯電話機Ｔｎを操作して、一覧表示されている仮想部屋名から自己のグループに対して割り当てられた仮想部屋名を選択実行すると、仮想部屋画面提供リクエスト（選択された仮想部屋名を示す情報を含む）がイントラネットＮＴを介して情報提供サーバＳＡに送信される（ステップＳ９）。
【００６２】
次いで、情報提供サーバＳＡは、当該リクエストに応じて、登録判別処理を実行する（ステップＳ１０）。
【００６３】
当該登録判別処理においては、図７に示すように、情報提供サーバＳＡは、仮想部屋情報データベース２２を参照し、仮想部屋画面提供リクエストにて示される仮想部屋名に対応付けられてパスワードが登録されているか否かを判別し（ステップＳ２１）、登録されている場合には（ステップＳ２１：ＹＥＳ）、パスワード入力画面データを生成し、これをイントラネットＮＴを介して当該携帯電話機Ｔｎに送信し（ステップＳ２２）、登録されていない場合には（ステップＳ２１：ＮＯ）、ステップＳ２６に移行する。
【００６４】
パスワード入力画面データを受信した携帯電話機Ｔｎでは、パスワード入力画面が表示される。そして、当該パスワード入力画面を通じて入力され、送信されたパスワードを、情報提供サーバＳＡが受信すると（ステップＳ２３）、当該情報提供サーバＳＡは、上記仮想部屋画面提供リクエストにて示される仮想部屋名に対応付けられて登録されているパスワードと、上記受信されたパスワードが一致するか否かを判別し（ステップＳ２４）、一致しない場合には（ステップＳ２４：ＮＯ）、一致しないことを示すメッセージを携帯電話機Ｔｎに送信して（ステップＳ２５）再入力を促す。
【００６５】
一方、パスワードが一致する場合には（ステップＳ２４：ＹＥＳ）、情報提供サーバＳＡは、上記仮想部屋画面提供リクエストに係る仮想部屋名に対応付けられて提供情報に関する情報（再生順番情報を含む）と飲物又は食物に関する情報（提供タイミング情報を含む）との少なくとも何れか一方の情報が仮想部屋情報データベース２２に登録されているか否かを判別する（ステップＳ２６）。
【００６６】
そして、提供情報に関する情報と飲物又は食物に関する情報との少なくとも何れか一方の情報が登録されている場合（ステップＳ２６：ＹＥＳ）、情報提供サーバＳＡは、当該登録されている全ての情報（提供情報に関する情報と飲物又は食物に関する情報、或いは提供情報に関する情報と飲物又は食物に関する情報の一方）を取得し（ステップＳ２７）、当該取得した情報及び上記仮想部屋画面提供リクエストに係る仮想部屋名が記述される仮想部屋画面データを生成する（ステップＳ２８）。一方、提供情報に関する情報と飲物又は食物に関する情報の何れも登録されていない場合（ステップＳ２６：ＮＯ）、情報提供サーバＳＡは、上記仮想部屋画面提供リクエストに係る仮想部屋名が記述される仮想部屋画面データを生成する（ステップＳ２８）。
【００６７】
そして、情報提供サーバＳＡは、上記生成した仮想部屋画面データをイントラネットＮＴを介して当該携帯電話機Ｔｎに送信する（ステップＳ１１）。
【００６８】
携帯電話機Ｔｎは、情報提供サーバＳＡから送信されてきた仮想部屋画面データを受信すると、これを表示部上に表示する。
【００６９】
こうして表示された仮想部屋画面６３には、図５（Ｃ）に示すように、仮想部屋名と共に、既に再生予約登録されたカラオケ楽曲等の曲名、アーティスト名、及び再生時間が再生予約順に並べられて一覧表示されている。また、仮想部屋画面６３には、既に注文予約登録された飲物（この例では、ジュース）及び食物（この例では、ポテト）を示す名称情報が提供タイミングに応じた位置に表示されている。例えば、図５（Ｃ）に示すオレンジジュースの場合、その提供タイミングは、曲名「ｂｂｂｂ」と曲名「ｃｃｃｃ」との間の時間（カラオケ部屋に入室した時から３分０５秒＋１０分０１秒に達した時（もちろん、当該食物等はあくまでも店員により運ばれてくるので誤差はある））となる。
【００７０】
また、仮想部屋画面６３には、曲検索ボタン３０１、メニュー表示ボタン３０２、コメント入力ボタン３０３、飲物又は食物の提供タイミング指定矢印カーソル３０４等が設けられている。
【００７１】
このような表示状態において、例えば当該グループの利用者が所望のカラオケ楽曲やＢＧＭ等の再生予約をしたい場合、当該利用者は、携帯電話機Ｔｎを操作して、曲検索ボタン３０１を選択実行すると、図８に示すように、曲検索画面提供リクエストがイントラネットＮＴを介して情報提供サーバＳＡに送信される（ステップＳ３１）。
【００７２】
次いで、情報提供サーバＳＡは、当該リクエストに応じて、曲検索画面データを生成し（ステップＳ３２）、これをイントラネットＮＴを介して当該携帯電話機Ｔｎに送信する（ステップＳ３３）。
【００７３】
次いで、携帯電話機Ｔｎは、情報提供サーバＳＡから送信されてきた曲検索画面データを受信すると、これを表示部上に表示する。
【００７４】
このように表示された曲検索画面では、図示しないが、例えば、曲名検索、アーティスト名検索等を行うことができ、例えば曲名検索では、当該利用者は、携帯電話機Ｔｎを操作して、曲名の頭文字（例えば、「お」）を指定すると、その情報が情報提供サーバＳＡに送信される。そして、情報提供サーバＳＡでは、楽曲情報データベース２１を参照して、該当するカラオケ楽曲等（例えば、曲名が「お」で始まるカラオケ楽曲等）の曲名を検索して、当該検索した曲名に対応する楽曲ＩＤ、アーティスト名、及び再生時間等の情報を取得し（アーティスト名検索も同様の考え）、当該取得した情報を検索結果情報として携帯電話機Ｔｎに送信する。そして、携帯電話機Ｔｎは、当該検索結果情報を受信すると、当該検索結果情報を、曲検索画面上に指定可能（例えばカーソルにより指定可能）に表示する。なお、曲名検索やアーティスト名検索に特に限定されるものではなく、公知の様々な曲検索方法（例えば、売上ランキング検索、新譜検索、ジャンル検索等）を適用しても構わない。
【００７５】
こうして表示された曲名のうちから、当該利用者は、携帯電話機Ｔｎを操作して、再生予約したい所望の曲名を指定して、登録ボタン（図示せず）を選択実行すると、当該曲名に対応するカラオケ楽曲等の再生予約を示す再生予約情報（指定された曲名に対応する楽曲ＩＤを含む）と、当該グループに割り当てられた仮想部屋名（仮想部屋画面６３に表示された仮想部屋名）と、を含む情報が情報提供サーバＳＡに送信される（ステップＳ３４）。
【００７６】
次いで、情報提供サーバＳＡは、当該再生予約情報と仮想部屋名を含む情報を受信すると、当該再生予約情報に含まれる楽曲ＩＤと、当該楽曲ＩＤに対応する曲名、アーティスト名、及び再生時間を、提供情報に関する情報として、当該受信された仮想部屋名に対応付けて仮想部屋情報データベース２２に登録する（ステップＳ３５）。
【００７７】
なお、このとき、情報提供サーバＳＡは、当該再生予約情報と仮想部屋名を含む情報を送信した携帯電話機Ｔｎの固有情報（例えば、端末ＩＤや電話番号等）を取得し、これを楽曲ＩＤに対応付けて仮想部屋情報データベース２２に登録するように構成しても効果的である。このように携帯電話機Ｔｎの固有情報を登録しておき、例えば、図５（Ｃ）に示す仮想部屋画面６３が携帯電話機Ｔｎの表示部上に表示される際に、当該携帯電話機Ｔｎの固有情報が、カラオケ楽曲等の曲名等に対応付けられて表示されるように構成しておけば、各利用者は誰が再生予約したカラオケ楽曲等であるかを容易に把握することができる。
【００７８】
次いで、情報提供サーバＳＡは、上記受信された再生予約情報に示されるカラオケ楽曲等の再生順番（受信された仮想部屋名に対応するグループにおける再生順番）を、例えば当該提供情報に関する情報の登録順（つまり、早く登録されたカラオケ楽曲ほど早く再生される）にしたがって決定し（ステップＳ３６）、当該決定された再生順番を示す再生順番情報を、上記受信された仮想部屋名、且つ上記登録された提供情報に関する情報に対応付けて仮想部屋情報データベース２２に登録する（ステップＳ３７）。
【００７９】
このように、グループの夫々の利用者は、自己の携帯電話機Ｔｎを用いて所望のカラオケ楽曲等の再生予約を、カラオケ部屋が空くのを待っている間に行うことができる。
【００８０】
一方、上記仮想部屋画面６３が表示されている状態において、例えば当該グループの利用者が所望の食物又は飲物の注文予約をしたい場合、当該利用者は、携帯電話機Ｔｎを操作して、所望の提供タイミング情報に応じた位置に提供タイミング指定矢印カーソル３０４を移動させ（例えば、図５（Ｃ）に示す破線矢印のうちを移動）た後、メニュー表示ボタン３０２を選択実行すると、図９に示すように、メニュー提供リクエスト（提供タイミング情報に応じた位置（例えば４曲目と５曲目の間）を示す情報を含む）がイントラネットＮＴを介して情報提供サーバＳＡに送信される（ステップＳ４１）。
【００８１】
次いで、情報提供サーバＳＡは、当該リクエストに応じて、メニュー情報データベース２３に登録された飲物及び食物を示す名称情報、飲物及び食物の料金を示す料金情報、及び飲物及び食物の種別を示す種別情報を取得し、当該取得した名称情報及び料金情報が種別に応じて区分され記述されるメニュー画面データを生成し（ステップＳ４２）、これをイントラネットＮＴを介して当該携帯電話機Ｔｎに送信する（ステップＳ４３）。
【００８２】
次いで、携帯電話機Ｔｎは、情報提供サーバＳＡから送信されてきたメニュー画面データを受信すると、これを表示部上に表示する。
【００８３】
このように表示されたメニュー画面では、図示しないが、飲物及び食物を示す名称情報と、飲物及び食物の料金を示す料金情報が、該飲物及び食物の種別に応じて区分されて指定可能に表示される。そして、当該利用者は、携帯電話機Ｔｎを操作して、かかる飲物の及び食物のうちから、注文予約したい所望の飲物又は食物を示す名称情報を指定して、登録ボタンを選択実行すると、当該名称情報に対応する飲物又は食物の注文予約を示す注文予約情報（指定された名称情報を含む）と、当該グループに割り当てられた仮想部屋名（仮想部屋画面６３に表示された仮想部屋名）と、を含む情報が情報提供サーバＳＡに送信される（ステップＳ４４）。
【００８４】
次いで、情報提供サーバＳＡは、当該注文予約情報と仮想部屋名を含む情報を受信すると、当該注文予約情報に含まれる名称情報を、飲物又は食物に関する情報として、当該受信された仮想部屋名に対応付けて仮想部屋情報データベース２２に登録する（ステップＳ４５）。
【００８５】
次いで、情報提供サーバＳＡは、上記受信された注文予約情報に示される飲物又は食物を利用者に提供する時間的な提供タイミング（上記受信された仮想部屋名に対応するグループにおける提供タイミング）を、上記メニュー提供リクエストに含まれる提供タイミング情報に応じた位置に基づいて決定する（ステップＳ４６）。例えば、情報提供サーバＳＡは、提供タイミング情報に応じた位置が例えば４曲目と５曲目の間を示している場合には、既に当該仮想部屋名に対応付けられて登録されている提供情報に関する情報により特定される１曲目から４曲目までカラオケ楽曲等の再生時間を総和した総和時間を時間的な提供タイミングとして決定する。なお、１曲目の前が示されている場合は、提供タイミングとしては０時間（つまり、入室後直ちに）に決定されることになる。
【００８６】
次いで、決定された提供タイミングを示す提供タイミング情報を、上記受信された仮想部屋名、且つ上記登録された飲物又は食物に関する情報に対応付けて仮想部屋情報データベース２２に登録する（ステップＳ４７）。
【００８７】
このように、グループの夫々の利用者は、自己の携帯電話機Ｔｎを用いて所望の飲物又は食物の注文予約を、カラオケ部屋が空くのを待っている間に行うことができる。
【００８８】
一方、上記仮想部屋画面６３が表示されている状態において、例えば当該グループの利用者がコメント情報の再生予約をしたい場合、当該利用者は、携帯電話機Ｔｎを操作して、コメント入力ボタン３０３を選択実行すると、図１０に示すように、コメント入力画面提供リクエストがイントラネットＮＴを介して情報提供サーバＳＡに送信される（ステップＳ５１）。
【００８９】
次いで、情報提供サーバＳＡは、当該リクエストに応じて、コメント入力画面データを生成し（ステップＳ５２）、これをイントラネットＮＴを介して当該携帯電話機Ｔｎに送信する（ステップＳ５３）。
【００９０】
次いで、携帯電話機Ｔｎは、情報提供サーバＳＡから送信されてきたコメント入力画面データを受信すると、これを表示部上に表示する。
【００９１】
このように表示されたコメント入力画面では、図示しないが、コメント入力欄が設けられており、利用者は、携帯電話機Ｔｎを操作して、当該コメント入力欄に所望のコメント情報（例えば、「誕生日おめでとう」）を入力して、登録ボタン（図示せず）を選択実行すると、入力されたコメント情報の再生予約を示す再生予約情報（当該コメント情報を含む）と、当該グループに割り当てられた仮想部屋名（仮想部屋画面６３に表示された仮想部屋名）と、を含む情報が情報提供サーバＳＡに送信される（ステップＳ５４）。
【００９２】
次いで、情報提供サーバＳＡは、当該再生予約情報と仮想部屋名を含む情報を受信すると、当該再生予約情報に含まれるコメント情報を、提供情報に関する情報として、当該受信された仮想部屋名に対応付けて仮想部屋情報データベース２２に登録する（ステップＳ５５）。
【００９３】
次いで、情報提供サーバＳＡは、上記受信された再生予約情報に示されるコメント情報の再生順番（受信された仮想部屋名に対応するグループにおける再生順番）を、上記ステップＳ３６と同様、例えば当該提供情報に関する情報の登録順にしたがって決定し（ステップＳ５６）、当該決定された再生順番を示す再生順番情報を、上記受信された仮想部屋名、且つ上記登録された提供情報に関する情報に対応付けて仮想部屋情報データベース２２に登録する（ステップＳ５７）。
【００９４】
このように、グループの夫々の利用者は、自己の携帯電話機Ｔｎを用いて入力したコメント情報の再生予約を、カラオケ部屋が空くのを待っている間に行うことができる。
【００９５】
なお、利用者が、携帯電話機Ｔｎを操作して、削除したいカラオケ楽曲等の曲名や食物等の名称情報を指定して、削除ボタン３０５を選択実行すると、当該指定されたカラオケ楽曲等の登録情報（提供情報に関する情報等）が仮想部屋情報データベース２２から削除されることになる。
【００９６】
なお、図５（Ｃ）に示すような仮想部屋画面６３により、各利用者は、自己のグループ内で登録された情報を共有することができるが、コメント情報については、共有できない、つまり、入力した利用者のみ仮想部屋画面６３上で閲覧できるように処理（例えば、コメント情報と共に当該情報を入力した利用者のパスワードを対応付けて登録し、閲覧の際には、当該利用者のパスワードを入力させる）するように構成しても良い。
【００９７】
また、既に再生予約登録されたカラオケ楽曲等の再生順番については、各利用者は、図５（Ｃ）に示すような仮想部屋画面６３を通じて変更可能としても良い。例えば、仮想部屋画面６３に再生順変更ボタンを設けておき、利用者が、携帯電話機Ｔｎを操作して、再生順番を変更したい所望の曲名及び再生順番（例えば、曲名をマウスにより指定した後、変更後の再生順番の番号をマウスによりクリック）を指定して、再生順変更ボタン（図示せず）を選択実行すると、当該曲名に対応するカラオケ楽曲等の再生順番の変更要求を示す変更要求情報（指定された曲名に対応する楽曲ＩＤ及び変更後の再生順番と、当該グループに割り当てられた仮想部屋名とを含む）が携帯電話機Ｔｎから情報提供サーバＳＡに送信される。これに対し、情報提供サーバＳＡは、当該変更要求情報を受信すると、当該変更要求情報に含まれる楽曲ＩＤ及び仮想部屋名に対応するカラオケ楽曲等の、既に登録された再生順番を、変更要求情報に含まれる（利用者により指定された）再生順番に変更して仮想部屋情報データベース２２に登録する。これにより、より利便性を向上させることができる。
【００９８】
そして、カラオケ部屋が空いた場合、カラオケ施設の店員は、例えば管理端末Ｍにおいて空いたカラオケ部屋の部屋名を指定すると、当該指定された空き部屋名を示す情報が、イントラネットＮＴを介して情報提供サーバＳＡに送信され、これに応じて、情報提供サーバＳＡは、当該カラオケ部屋が利用可能となったことを認識し、図１１に示す処理を開始する。なお、情報提供サーバＳＡによるカラオケ部屋が利用可能となったことの認識は、特に限定されるものではなく、例えば当該カラオケ部屋を利用していたグループがレジ端末で清算した場合に、当該レジ端末から情報提供サーバＳＡに対して、空いたカラオケ部屋の部屋名を示す情報が送信されることにより認識されてもよい。また、カラオケ部屋を利用していた利用者が、携帯電話機Ｔｎから情報提供サーバＳＡにアクセスし、利用していたカラオケ部屋を指定して利用終了を示す情報を携帯電話機Ｔｎが情報提供サーバＳＡに送信するように構成しても良い。
【００９９】
図１１に示す処理が開始されると、情報提供サーバＳＡは、先ず、仮想部屋情報データベース２２に仮想部屋名が登録されているか否かを判別し（ステップＳ６１）、登録されていない場合には（ステップＳ６１：ＮＯ）、当該処理を終了する。一方、仮想部屋名が登録されている場合には（ステップＳ６１：ＹＥＳ）、情報提供サーバＳＡは、仮想部屋情報データベース２２に登録されている仮想部屋名から一の仮想部屋名を、例えば登録順番情報に示される登録順番にしたがって特定（登録順番が若い番号順（つまり、来店順）から特定）する（ステップＳ６２）。
【０１００】
次いで、情報提供サーバＳＡは、上記特定した仮想部屋名に対応付けられた利用人数を仮想部屋情報データベース２２から取得し、当該利用人数が、上記認識したカラオケ部屋（部屋名（例えば１０１号室））に対して予め設定された最大利用人数以下であるか否かを判別し（ステップＳ６３）、最大利用人数以下である場合には（ステップＳ６３：ＹＥＳ）、当該特定した仮想部屋名を選定（仮想部屋名を空いたカラオケ部屋に割り当てるべく選定）する（ステップＳ６４）。一方、最大利用人数以下でない場合には（ステップＳ６３：ＮＯ）、未だステップＳ６２で特定されていない仮想部屋名があるか否かを判別し（ステップＳ６５）、特定されていない仮想部屋名がない場合には（ステップＳ６５：ＮＯ）、当該処理を終了し、特定されていない仮想部屋名がある場合には（ステップＳ６５：ＹＥＳ）、ステップＳ６２に戻り、当該特定されていない仮想部屋名を特定し上記と同様の処理を行う。
【０１０１】
なお、ステップＳ６３では、予め設定された最大利用人数以下であるか否かを判別し、最大利用人数以下である場合には、当該特定した仮想部屋名を選定（仮想部屋名を空いたカラオケ部屋に割り当てるべく選定）するように構成したが、このステップＳ６３の処理は設けずに、ステップＳ６２からステップＳ６４に移行するように構成しても良い。
【０１０２】
次いで、情報提供サーバＳＡは、カラオケ部屋が空いた旨、上記選定した仮想部屋名及び空いたカラオケ部屋の部屋名を示す情報（例えば、「仮想部屋名“ＡＢＣ”のグループの皆様は、１０１号室のカラオケ部屋が空きましたのでお入り下さい」とのアナウンス）を、例えばカラオケ施設内に設置されたスピーカから出力して当該仮想部屋名に対応するグループの利用者に対して通知する（ステップＳ６６）。なお、かかる通知は、例えばカラオケ施設の店員から当該グループの利用者に対して行われても良い。或いは、当該グループの利用者の所有する携帯電話機Ｔｎのメールアドレスを仮想部屋名に対応付けて情報提供サーバＳＡ内に登録しておき、当該メールアドレス宛に、上記選定した仮想部屋名及び空いたカラオケ部屋の部屋名を示す情報が記述された電子メール送信するように構成しても良い。
【０１０３】
こうして通知されたグループの各利用者は、当該カラオケ部屋に入ることになる。
【０１０４】
次いで、情報提供サーバＳＡは、上記選定された仮想部屋名に対応付けられた提供情報に関する情報が仮想部屋情報データベース２２に登録されている場合にはこれを取得し、当該取得した提供情報に関する情報により特定される全てのカラオケ楽曲等の楽曲ＩＤに対応する音楽データ及び映像データ等（例えばカラオケ楽曲に関するデータ等）を楽曲情報データベース２１から取得し（ステップＳ６７）、当該取得した音楽データ及び映像データ等と、当該取得した音楽データ及び映像データ等に対応する（上記取得した提供情報に関する情報に含まれる楽曲ＩＤに対応する）再生順番情報を、上記利用可能となった（上記認識した）カラオケ部屋に設置されるカラオケ演奏装置ＫｎにイントラネットＮＴを介して送信する（ステップＳ６８）。
【０１０５】
こうして送信された音楽データ及び映像データ等及び再生順番情報は、上記カラオケ演奏装置Ｋｎにより受信され、記憶部１２に記憶されて再生待ち状態となる。そして、当該カラオケ部屋に入ったグループの利用者が、例えばカラオケ演奏装置Ｋｎに設けられた再生開始ボタン（或いは、電子早見本と総称される携帯型通信機器に設けられた再生開始ボタン）を押すと、カラオケ演奏装置Ｋｎの制御部１１は、上記受信され記憶されたカラオケ楽曲等のデータ（音楽データ及び映像データ等）を、再生順番情報にしたがって（当該再生順番情報に示される再生順に）再生する制御を行う。カラオケ楽曲が再生された場合、当該グループの利用者は直ちに歌い始めることができる。アーティストのプロモーモーションビデオやＢＧＭが再生された場合、当該グループの利用者は直ちに視聴することができる。
【０１０６】
なお、再生予約登録されたカラオケ楽曲等が再生される際に、カラオケ演奏装置Ｋｎの表示部１５には、その曲名及びアーティスト名等が表示されることとなるが、上述したように、携帯電話機Ｔｎの固有情報（例えば、端末ＩＤや電話番号等）が楽曲ＩＤに対応付けて仮想部屋情報データベース２２に登録されていれば、上記曲名及びアーティスト名等の表示と共に携帯電話機Ｔｎの固有情報が表示されるように構成しても良い。この構成によれば、各利用者は誰が再生予約したカラオケ楽曲等であるかを容易に把握することができる。
【０１０７】
また、コメント情報が登録されていた場合、当該コメント情報が再生順番情報にしたがって再生されることになり、例えば曲合間に「誕生日おめでとう」との文字が装飾されて表示部１５上に表示されることになり、非常に効果的である。
【０１０８】
なお、カラオケ部屋に入った後も、従来と同様、利用者は、電子早見本と総称される携帯型通信機器又は携帯電話機Ｔｎを操作して、新たにカラオケ楽曲等の再生予約登録を行うことができ、登録されたカラオケ楽曲に関するデータ等は、情報提供サーバＳＡからカラオケ演奏装置Ｋｎに送信され、そのカラオケ楽曲等の登録順番が来たら再生されることになる。
【０１０９】
次いで、情報提供サーバＳＡは、上記選定された仮想部屋名に対応付けられた飲物又は食物に関する情報が仮想部屋情報データベース２２に登録されている場合にはこれを取得し、当該取得した飲物又は食物に関する情報に含まれる飲物又は食物を示す名称情報と、当該飲物又は食物を利用者に提供する時間的な提供タイミング情報と、上記利用可能となった（上記認識した）カラオケ部屋の部屋名と、を含む情報を管理端末ＭにイントラネットＮＴを介して送信する（ステップＳ６９）。
【０１１０】
こうして送信された情報は、管理端末Ｍにより受信され、当該管理端末Ｍにおける例えば表示部上には、飲物又は食物を示す名称情報、提供タイミング情報、及びカラオケ部屋の部屋名が対応付けられて表示される。これにより、カラオケ施設の店員は、どの部屋にどのタイミング（例えば３０分後）でどの食物等を持っていけば良いかを把握することができる。また、当該グループに属する各利用者は、カラオケ部屋に入って飲物や食物の注文を気にせずにカラオケ等を楽しむことができる。
【０１１１】
そして、例えば当該グループの利用者が店員に伝えることにより登録された利用時間、或いは、利用者により携帯電話機Ｔｎから登録された利用時間（例えは、カラオケ部屋に入ってから２時間）が到来した場合、利用時間が到来した旨（利用終了の旨）を示す情報が、情報提供サーバＳＡからカラオケ演奏装置ＫｎにイントラネットＮＴを介して送信され、当該情報が、カラオケ演奏装置Ｋｎに表示部１５やスピーカ１９から出力される。
【０１１２】
こうして利用延長しない限り、当該グループの当該カラオケ部屋の利用が終了することになるが、このとき、再生予約登録したにも拘らずまだ再生されていないカラオケ楽曲等がある場合には、当該カラオケ楽曲を後日利用可能にするためにストックしておくことができる。
【０１１３】
例えば、利用者は、携帯電話機Ｔｎを操作して情報提供サーバＳＡにアクセスしてストック要求情報を送信すると、情報提供サーバＳＡから携帯電話機Ｔｎに、パスワード及び仮想部屋名を入力するためのストック画面データが送信される。そして、利用者は、そのストック画面上でパスワード及び仮想部屋名を入力して情報提供サーバＳＡに送信すると、情報提供サーバＳＡは、上記カラオケ演奏装置Ｋｎに再生予約登録されており、且つ再生されていないカラオケ楽曲等の楽曲ＩＤをカラオケ演奏装置ＫｎからイントラネットＮＴを介して取得して、上記入力されたパスワード、仮想部屋名、及び楽曲ＩＤを仮想部屋情報データベース２２に登録する。
【０１１４】
そして、後日、当該グループの利用者がカラオケ施設（情報提供サーバＳＡを利用可能の別のカラオケ施設でも良い）に来店した際に、携帯電話機Ｔｎから情報提供サーバＳＡにアクセスして、携帯電話機Ｔｎの表示部に表示された画面上からパスワード及び仮想部屋名を入力、送信することで、当該パスワード及び仮想部屋名に対応付けられた楽曲ＩＤに対応するカラオケ楽曲等の曲名等が表示される上述した仮想部屋画面６３が携帯電話機Ｔｎに表示されることになり、利用者は追加の再生予約登録を行うことができるようになる。
【０１１５】
以上説明したように、上記実施形態によれば、複数のカラオケ部屋を備えるカラオケ施設において当該カラオケ部屋が利用可能となるまで待つ時間を有効に活用でき、また、利用可能となったカラオケ部屋に設置されるカラオケ演奏装置Ｋｎに対して、より効率良く、再生予約されたカラオケ楽曲等を送信し、当該カラオケ楽曲等を迅速に再生をさせることができ、当該部屋が利用可能となった後に、カラオケ楽曲等を、利用者に対して迅速且つ効果的に提供することができる。
【０１１６】
また、当該部屋が利用可能となるまで待つ時間を有効に活用し飲物、食物、又はプレゼント品の注文予約をし、注文予約された飲物、食物、又はプレゼント品を、カラオケ楽曲等が再生される合間に利用者に対してより効果的に提供することができる。
【０１１７】
また、グループ毎に割り当てられた仮想部屋名を登録しておき、各グループの利用者は、登録された自己のグループに割り当てられた仮想部屋名を携帯電話機Ｔｎから容易に指定することができ、したがって、複数のグループが来店していてもこれらのグループを容易に区別することができる。また、仮想部屋名の指定によって携帯電話機Ｔｎに図５（Ｃ）に示すような仮想部屋画面６３が提供されるので、各利用者は、自己のグループにおいて既に登録されたカラオケ楽曲等の曲名等を見ながら、自己が所望するカラオケ楽曲等を指定して再生予約することができる。また、各利用者は、既に再生予約登録されたカラオケ楽曲等の曲名及び再生順番を後から自己の携帯電話機Ｔｎで容易に確認することができ、加えて自己が注文予約した食事等の提供タイミングを容易に確認することができる。
【０１１８】
なお、上記実施形態においては、飲物又は食物を指定してその注文予約を登録可能としたが、別の例として、花、商品等のプレゼント（例えば、誕生日プレゼント）品を指定してその注文予約を登録するように構成しても良く、この構成によれば上述したコメント情報の再生のタイミングと同期してプレゼント品を提供できるので、カラオケ施設を誕生会や結婚式の２次会等で使用する場合にはより効果的である。この場合の注文予約に関する処理は、上述した飲物又は食物に関する処理と同様となる。
【０１１９】
また、上記実施形態においては、端末装置の一例としての利用者が所有する携帯型端末装置（例えば携帯電話機Ｔｎ）を例にとって説明した。利用者が所有する携帯型端末装置を使用すれば、各利用者が自己の携帯型端末装置を使用して再生予約等を行うことができるので、非常に利便性が高いが、端末装置としてカラオケ施設で所有している専用の端末装置を適用しても構わない。
【０１２０】
また、上記実施形態においては、複数の利用者が属するグループにより利用されるカラオケ部屋を複数備えるカラオケ施設を例にとって説明したが、複数の利用者が属するグループにより利用される部屋を複数備える施設（例えば、音楽や映像を視聴しながら食事をするような個室部屋）であれば、本発明を適用することは可能である。
【図面の簡単な説明】
【０１２１】
【図１】本実施形態に係るカラオケシステムの概要構成例を示す図である。
【図２】本実施形態に係る情報提供サーバＳＡの概要構成例を示すブロック図である。
【図３】仮想部屋情報データベース２２におけるデータ構造の一例を示す図である。
【図４】本実施形態に係るカラオケ演奏装置Ｋｎの概要構成例を示すブロック図である。
【図５】携帯電話機Ｔｎの表示部に表示される表示画面の遷移例を示す図である。
【図６】仮想部屋画面が携帯電話機Ｔｎ上に表示されるまでにおける携帯電話機Ｔｎと情報提供サーバＳＡとの間の情報のやり取りを示すシーケンス図である。
【図７】情報提供サーバＳＡの制御部１における登録判別処理を示すフローチャートである。
【図８】曲検索から再生予約登録までにおける携帯電話機Ｔｎと情報提供サーバＳＡとの間の情報のやり取りを示すシーケンス図である。
【図９】メニュー表示から注文予約登録までにおける携帯電話機Ｔｎと情報提供サーバＳＡとの間の情報のやり取りを示すシーケンス図である。
【図１０】コメント入力から再生予約登録までにおける携帯電話機Ｔｎと情報提供サーバＳＡとの間の情報のやり取りを示すシーケンス図である。
【図１１】情報提供サーバＳＡの制御部１におけるカラオケ部屋割り当て処理等を示すフローチャートである。
【符号の説明】
【０１２２】
１  制御部
２  記憶部
３  通信インターフェース
１１  制御部
１２  記憶部
１３  通信インターフェース
１４  映像処理部
１５  表示部
１６  音声処理部
１７  マイクロフォン
１８  ミキシングアンプ
１９  スピーカ
２１  楽曲情報データベース
２２  仮想部屋情報データベース
２３  メニュー情報データベース
Ｋｎ  カラオケ演奏装置
Ｍ  管理端末
ＳＡ  情報提供サーバ
Ｔｎ  携帯電話機
ＮＴ  イントラネット
Ｓ  カラオケシステム
【図１】
2008064910.tif 000003
【図２】
2008064910.tif 000004
【図３】
2008064910.tif 000005
【図４】
2008064910.tif 000006
【図５】
2008064910.tif 000007
【図６】
2008064910.tif 000008
【図７】
2008064910.tif 000009
【図８】
2008064910.tif 000010
【図９】
2008064910.tif 000011
【図１０】
2008064910.tif 000012
【図１１】
2008064910.tif 000013